Podtech/llm-jp-corpus-v4-ja_patent huggingface dataset:
(57)【要約】      （修正有）【課題】使用済みのカプセル玩具の包装容器にエレキギターを演奏するために必要である電源、アンプ、スピーカーを小型化し収めたことにより廃棄される容器を再利用し廃棄物を減じると共に演奏する為の機材の簡略化、金銭的負担を減少できる。【解決手段】ＥとＦをあわせて収納する使用済みカプセル玩具用容器にバッテリーＡ、アンプＣ、スピーカーＤからなるエレキギター演奏に必要な機材を封入し、容器の蓋部分に当たるＦにエレキギター接続用入力ジャックＢを取り付け、エレキギターに容易に装着が出来、その為に容易に演奏が行える。【選択図】図１
0003134879.tif 000002
【実用新案登録請求の範囲】
【請求項１】
カプセル玩具と呼ばれる形式の玩具の使用済み包装容器を再利用し、その中に電源となるバッテリー、アンプ、スピーカーを搭載し既存のエレキギター用接続機器を用いてエレキギターに接続する事によりエレキギターを演奏する事が出来る事を特徴とした携帯型エレキギター演奏用音響装置。
【考案の詳細な説明】
【技術分野】
【０００１】  本考案はエレキギター演奏に最低限必要な機器である、電源、アンプ、スピーカーを使用済みカプセル玩具容器に収めた、エレキギター演奏用音響装置に関するものである。
【背景技術】
【０００２】  エレキギターの演奏を行う場合には、アンプ、スピーカー、電源等多種多様で高価な機器を接続し、初めて演奏する事が可能であった。
【考案の開示】
【考案が解決しようとする課題】
【０００３】  エレキギターを演奏するためには多種多様の機器、主には、アンプ、スピーカー、電源、等の設備を備える必要があり、それらの機器を設置するには、スペースや機器の重量、高価な機器を備えるための金銭的負担が問題となる。【０００４】  さらにカプセル玩具包装容器はカプセル玩具が購入されるまでに包装用に使われる容器であり、カプセル玩具の購入後は廃棄されるものである。
【課題を解決するための手段】
【０００５】  本考案は、エレキギター演奏に最低限必要である、スピーカー、アンプ、電源、等の機器を小型化し、カプセル玩具使用済み容器に収め、その装置をエレキギターに接続するだけでエレキギターの演奏が行えるものである。
【考案の効果】
【０００６】  上述のようにエレキギター演奏に最低限必要である、機器類を使用済みカプセル玩具容器に納めることにより、小型、軽量化し、スペースや重量の問題を解決し、高価な機材の排除により金銭的負担も減じる。【０００７】  さらに従来は廃棄処分されていたカプセル玩具用包装容器を再利用する事により、廃棄物を減量し、環境保護にも繋がる。
【考案を実施するための最良の形態】
【０００８】  上下分割式のカプセル容器の上部一端に機器接続用のジャックを装着し、電源であるバッテリー、アンプ、スピーカーをカプセルの内部に収納し、バッテリー交換時にはカプセル容器を上下分割する事で容易に行え、ギターへの接続は前述のジャックを持って行う。
【実施例】
【０００９】  以下、添付図面に従って一実施例を説明する。Ｅ、Ｆはカプセル玩具の包装容器であり、プラスチック素材にて成型されたものであり、Ｅの切り口にＦの切り口を若干の力で圧入すれば球形のカプセルとなる。【００１０】  Ｂはエレキギターへの電線を装着するためのジャックであり、電線であるｅ、ｃ、ｄを介し信号をアンプであるＣへと送り、Ａは電源となるバッテリーで電線であるａ、ｂを介しＣのアンプへと作動電力を送り、Ｄのスピーカーを作動させる。
【図面の簡単な説明】
【００１１】
【図１】本考案の携帯型エレキギター演奏用音響装置におけるフローチャート図である。
【図２】携帯型エレキギター演奏用音響装置の容器である、カプセル玩具の使用済み容器の詳細図である。
【符号の説明】
【００１２】  Ａ  バッテリー
Ｂ  入力ジャック
Ｃ  アンプ
Ｄ  スピーカー
ａ  電源からアンプを介する電線
ｂ  電線からアンプを介する電線
ｃ  入力ジャックからアンプを介する電線
ｄ  入力ジャックからアンプを介する電線
ｅ  入力ジャックからアンプを介する電線
ｆ  アンプからスピーカーを介する電線
ｇ  アンプからスピーカーを介する電線
【図１】
0003134879.tif 000003
【図２】
0003134879.tif 000004
(57)【要約】      （修正有）【課題】ユニット型水洗トイレの排水を容易にする排管を提供する。【解決手段】家庭用便器１の下の排管６をジイント付の排管３にすることにより、ユニット型水洗トイレ２と連結して、そのサクション作用により両方が共用して排水を容易に流すことが出来る。【選択図】図１
0003134877.tif 000002
【実用新案登録請求の範囲】
【請求項１】
ユニット型水洗トイレを設置する為にあらかじめ家庭用便器の排管部分を盲蓋付排管にしておくことにより容易に排水が出来ることを目的としたユニット型水洗トイレ用排管。
【考案の詳細な説明】
【技術分野】
【０００１】ユニット型水洗トイレの排水を容易にする事。
【背景技術】
【０００２】家庭用便器の排管をユニット型水洗トイレの排水と共用する。
【考案の開示】
【考案が解決しょうとする課題】
【０００３】ユニット型水洗トイレの排水を容易にする事。
【課題が解決する為の手段】
【０００４】家庭用便器の下排管をユニット型水洗トイレの排水を流すジイントを付けた排管にする。
【考案の効果】
【０００５】ユニット型水洗トイレの排水を容易にすることが出来る。
【考案の実施するための最良の形熊】
【０００６】技型の排管の片方に盲蓋を取り付けておきいつでもジイント出来る様にした排管。
【実施例】
【０００７】家庭用トイレの排管にユニット型水洗トイレの排水を流す為のジイント、を取付けておく。
【図面の簡単な説明】
【０００８】
【図１】ジイントパイプの全体図
【符号の説明】
【０００９】１．家庭用便器
２．ユニット型水洗トイレ
３．ジイントパイプ
４．盲蓋
５．配管（接続）
６．配管
【図１】
0003134877.tif 000003
(57)【要約】      （修正有）【課題】ドライクリーニングはウェットクリーニングに比べ、落ちが悪い。汚れた液を中和してサラサラにして、フィルター圧を下げ、循環を良くして、洗剤の効能を高め、ドライ品の洗濯をより良くし、ドラ液中の酸化した液を重曹で中和し、研磨力でボタン、ファスナー等を磨き、竹炭のマイナスイオンで浄化し、洗剤の働きを助け、汚れ落ちを良くする石油系洗剤マットを提供する。【解決手段】重曹等が早く溶けない様に通気性の少ない布を使用し、このマットをドライ機のフィルター内に敷き、永く除々に溶ける様にした。【選択図】図２
0003134874.tif 000002
【実用新案登録請求の範囲】
【請求項１】
３つの筒状に縫った布袋に、竹炭１重曹２を分け入れたマツト。
【考案の詳細な説明】
【技術分野】
【０００１】  筒状にした布袋に竹炭粉、重曹を分け入れたマツト
【背景技術】
【０００２】  従来ドライ液は、蒸留、カーボンなどで液を浄化するも汗など脂肪、酸など蓄積され、洗剤の効が鈍くなり、汚れ落ちも悪くなる。
【考案の開示】
【考案が解決しようとする課題】
【０００３】  そこで、ドラ液中の酸化した液を重曹で中和し、研磨力でボタン、ファスナー等を磨き、竹炭のマイナスイオンで浄化し、洗剤の働きを助け、汚れ落ちを良くする。
【課題を解決する為の手段】
【０００４】  上記目的を達する為、重曹が早く溶けてしまわない様通気性の少ない布で調整し、このマツトを、ドライ機のフィルター内に敷き、除々に溶ける様にした。
【考案の効果】
【０００５】  液がサラサラになり、油の汚れは勿論、尿、汗なども、良く落ち、縮みもなくなり、高級きもの類も、安全に洗う事が出来る。
【考案を実施する為の最良の形態】
【０００６】  石油系ドライ機のフイルターは、大小あるが、どのフィルターにも入るようマツトの厚みを極力薄く〔２ｃｍに〕した。マツトは、フィルター内に敷いてもよし、カートリツヂの上に置いても効果は同じである。
【図面の簡単な説明】
【０００７】
【図１】２ツ折にした布を、袋状に縫い、更に３ツの筒状に縫った図である。
【図２】１の筒に竹炭粉を詰め、２の筒に重曹を詰めた断面図である。
【図３】隅３を縫った完成品である。
【符号の説明】
【０００８】１  竹炭粉
２  重曹
３  綴じる
【図１】
0003134874.tif 000003
【図２】
0003134874.tif 000004
【図３】
0003134874.tif 000005
(57)【要約】      （修正有）【課題】安全という観点からだけではなく、その使用者や消費者にとって、袋の内容物から出る気体の香りを嗅ぐことによって商品の価値や品質を判断できるようにする。【解決手段】容器や袋１についているバルブ２や穴の付近にテキスト３やイラストで「この穴を嗅いでみて」、「香りがします」「香りお試し穴」などの説明をすることによって使用者及び消費者に穴から出る気体を嗅ぐことを促す。消費者はそれにより中身を見ることができない商品の品質の一部を感じることができる。バルブや穴の位置は商品の性質や特徴に合った位置に取り付けられている。【選択図】図１
0003134899.tif 000002
【実用新案登録請求の範囲】
【請求項１】
一般に使用されている包装用の主に化粧品やコーヒー及び紅茶、食品などの容器や袋についているガス抜き用のバルブや、包装用の袋の中のガスや空気を抜くためにあけてある小さな穴の付近に説明書きを設け消費者に香りの良さや品質をアピールすることができる包装容器や包装袋
【考案の詳細な説明】
【技術分野】
【０００１】  本考案は化粧品やコーヒー及び紅茶、食品などの容器や袋に関するものである。
【背景技術】
【０００２】  包装用の容器や袋の中には、中の気体などを抜くために専用に考案されたバルブや小さな穴をあけているものがある。
【考案の開示】
【考案が解決しようとする課題】
【０００３】  現在使用されている、内容物の気体を外へ排出するための構造になっているコーヒーなどの袋や容器は、その袋や容器の内容物から出る気体の影響で袋が破裂または、容器の内圧が高まり破損の危険があるため使われている。これは構造上及び安全上の課題を解決するためであり、それを求める使用者及び消費者にとってのメリットは安全などという観点からしか論じられていないため使用者及び消費者にとって品質や商品の価値を判断する基準とはなっていない。また、一部の容器や袋には、この構造によって「新鮮」ということをうたう場合があるが、それも店頭に並ぶにつれて鮮度が落ちていくため消費者にとっての商品の価値を判断する基準とはなっていない。
【課題を解決するための手段】
【０００４】  本考案は、容器や袋のバルブや穴の付近にその商品の価値や品質をアピールできるような説明書きを設け、安全という観点からだけではなく、その使用者や消費者にとって、袋の内容物から出る気体の香りを嗅ぐことによって商品の価値や品質を判断できるメリットを感じられることで問題点を解決している
【考案の効果】
【０００５】  上述の様に、本考案の説明書きを使用者及び消費者が読み、そしてその気体の香りをかぐことにより、いままで包装袋や容器に書いてある説明書きだけでしか判断できない商品の品質を判断する材料になる。
【考案を実施するための最良の形態】
【０００６】  容器や袋についているバルブや穴の付近にテキストやイラストで「この穴を嗅いでみて」、「香りがします」「香りお試し穴」などの説明をすることによって使用者及び消費者に穴から出る気体を嗅ぐことを促す。消費者はそれにより中身を見ることができない商品の品質の一部を感じることができる。バルブや穴の位置は商品の性質や特徴に合った位置に取り付けられている。
【実施例】
【０００７】  以下、添付図面に従って実施例を説明する。１はバルブ付きのまたは、穴が開いた包装用の容器や袋本体、２は気体を外に出すために開発されたバルブやピンホールで容器や袋に取り付けられている。３は気体の香りを嗅いでもらうことを目的として記載するテキストやイラストである。袋のバルブやピンホールの付近に３のテキストやイラストを記載し消費者がバルブや穴から出る香りを嗅ぐことを促す。４は３以外にも使用可能なテキストやイラスト例である。【０００８】  本考案の実施例は上述の様に実施するが、使用するバルブや穴の種類や構造または、記載するテキストやイラスト、及びバルブの位置は商品の性質や品質を考慮して適切に変更することができる。
【図面の簡単な説明】
【０００９】
【図１】  本考案の香りお試し穴の実施例を示す正面図である
【符号の説明】
【００１０】  １  袋や容器本体
２  中の気体を出すバルブ
３  記載するテキスト
４  その他のテキストやイラスト例
【図１】
0003134899.tif 000003
(57)【要約】      （修正有）【課題】一度使用したガスフレキシブル管を何度も繰り返し使用でき、工事現場の延長調整が容易にでき、かつ保管管理に便利なガスフレキシブル管仮配管用治具を提供する。【解決手段】ガスフレキシブル管仮配管用治具は、パイプリール1によろい管に内装されたガスフレキシブル管4を巻回することで、使用時にガスフレキシブル管4に曲がり癖がつきにくく、また工事現場によって異なる延長距離に応じて工事の度にガスフレキシブル管4を切断する必要がなくなり、他の工事現場において再度ガスフレキシブル管4を使用することを可能にする。【選択図】図２
0003134894.tif 000002
【実用新案登録請求の範囲】
【請求項１】
ガスフレキシブル管仮配管用治具であって、パイプリールによろい管に内装されたガスフレキシブル管を有するガスフレキシブル管が巻回されていることを特徴とするガスフレキシブル管仮配管用治具。
【請求項２】
請求項１のガスフレキシブル管仮配管用治具であって、ガスフレキシブル管仮配管用治具本体にガス栓を有することを特徴とするガスフレキシブル管仮配管用治具
【請求項３】
請求項１ないし2のガスフレキシブル管仮配管用治具であって、よろい管とガスフレキシブル管との内面をほぼ密着状態にしたことを特徴とするガスフレキシブル管仮配管用治具。
【請求項４】
請求項１ないし3のガスフレキシブル管仮配管用治具であって、パイプリールにハンドルを設けたことを特徴とするガスフレキシブル管仮配管用治具。
【考案の詳細な説明】
【技術分野】
【０００１】
本考案は既設のガス管の漏えい等の修理において、仮配管を施工する際に使用するガスフレキシブル管仮配管用治具に関する。
【背景技術】
【０００２】
既設のガス管のガス漏えい等の発生により、ガス管の修繕工事を行う際に時間の制約等で応急修理として、ガス管入替工事までの期間、ガスフレキシブル管を使用して仮配管を施工するが、このように仮配管に使用されたガスフレキシブル管は、曲がり癖がつき、再度使用するには扱いづらく、複数回の曲げによる金属疲労の懸念があった。また、仮配管施工時の配管の延長は工事現場により異なるため、短く切断したものは他の工事現場では長さが足りず再度使用できない等の問題があった。
このように、毎回、新しいフレキシブル管を使用すると費用が嵩み、現場によって延長距離が異なるために短いフレキシブル管の保管残数が多くなり、保管が困難であった。
【考案の開示】
【考案が解決しようとする課題】
【０００３】
本考案は上記従来事情を鑑みてなされたもので、一度使用した仮配管用のガス管を何度も繰り返し使用でき、ガスフレキシブル管の延長調整が容易にでき、かつ保管管理に便利なガスフレキシブル管仮配管用治具を提供することにある。
【課題を解決するための手段】
【０００４】
上記目的を達成するために本考案のガスフレキシブル管仮配管用治具はガスフレキシブル管をパイプリール1に巻回し、ガスフレキシブル管4の外周によろい管6を設けた。
【考案の効果】
【０００５】
請求項1にかかるガスフレキシブル管仮配管用治具は、パイプリール1によろい管に内装されたガスフレキシブル管4を巻回することで、使用時にガスフレキシブル管4に曲がり癖がつきにくく、また工事現場によって異なる延長距離に応じて工事の度にガスフレキシブル管4を切断する必要がなくなり、他の工事現場において再度ガスフレキシブル管4を使用することを可能にする。
【０００６】
請求項2にかかるガスフレキシブル管仮配管用治具は、ガスフレキシブル管仮配管用治具本体にガス栓7を設け、ガスフレキシブル管仮配管用治具本体を介してガス導管とガス機器を繋ぐ配管の仮設を可能にする。
【０００７】
請求項3にかかるガスフレキシブル管仮配管用治具は、よろい管6とガスフレキシブル管4との内面をほぼ密着状態にしたことで、管同士のずれを防止し、よろい管の剛性によりガスフレキシブル管4に曲がり癖がつくのを防止することを可能とする。
【０００８】
請求項4にかかるガスフレキシブル管仮配管用治具は、パイプリール1にハンドルを設けることで、ガスフレキシブル管をパイプリール1に巻き入れる格納作業の効率を向上させることを可能にする。
【考案を実施するための最良の形態】
【０００９】
既設のガス管においてガス漏えい等の問題が生じ、時間の制約等で応急処置として、仮配管を施工する必要が生ずるため、図3の使用方法概念図に示すようにガス導管とガス機器とを本考案にかかるガスフレキシブル管仮配管用治具を介して繋ぐ仮配管を施工した後、既設のガス管の入替工事を行う。
この際、使用する仮配管用のガスフレキシブル管4はステンレスのフレキシブル管であって塩化ビニル5により覆われたものの外周によろい管6を設けたものを使用することが望ましい。また、このガスフレキシブル管4とよろい管6を密着させることで、よろい管6が内側のガスフレキシブル管4を抑え、加えて両管間に生じる摩擦も加わり、よろい管6とガスフレキシブル管4との間にずれが生じることを防ぐことができる。
【００１０】
ガスフレキシブル管4とよろい管6は、具体的には社団法人日本ガス協会標準仕様書に定められたガス用ステンレス鋼フレキシブル管の口径20Aを15A用のよろい管に挿入して使用することが出来る。
【図面の簡単な説明】
【００１１】
【図１】本考案にかかるガスフレキシブル管仮配管用治具の斜視図である。
【図２】よろい管に内装されたガスフレキシブル管を示す拡大図である。
【図３】使用方法概念図である。
【符号の説明】
【００１２】
1パイプリール
2ガス管
3フレキ管継手
4フレキシブル管
5塩化ビニル
6よろい管
7ガス栓
【図１】
0003134894.tif 000003
【図２】
0003134894.tif 000004
【図３】
0003134894.tif 000005
【手続補正書】
【提出日】平成19年6月21日(2007.6.21)
【手続補正１】
【補正対象書類名】実用新案登録請求の範囲
【補正対象項目名】請求項１
【補正方法】変更
【補正の内容】
【請求項１】
ガスフレキシブル管仮配管用治具であって、よろい管に内装されたガスフレキシブル管がパイプリールに巻回されていることを特徴とするガスフレキシブル管仮配管用治具。
(57)【要約】      （修正有）【課題】ご飯をよそおうと、しゃもじにはご飯粒が付着するので、清潔さを保つことができるようにする。【解決手段】しゃもじを炊飯器に立てかけて置いたり、テーブルの上にしゃもじの面を横向きにして置いたりできるように、柄の端に安定板を取り付ける。【選択図】図３
0003134893.tif 000002
【実用新案登録請求の範囲】
【請求項１】
しゃもじを炊飯器に立てかけて置いたり、テーブルの上に、面を横向きにして置いたりできるように、柄の端に安定板を取り付けたしゃもじ。
【考案の詳細な説明】
【技術の分野】
【０００１】  本考案は、ご飯をよそおう時使うしゃもじに関わるものである。
【背景技術】
【０００２】  ご飯をよそおった後、ご飯粒の付いたしゃもじの置き場に困ることが多い。
【考案の開示】
【考案が解決しようとする課題】
【０００３】  ご飯をよそうと、しゃもじにはご飯粒が付着するので、テーブルの上にそのまま置くことができず、布巾の上に置いたり、水の入った専用のしゃもじ受けに入れたりしているが、そうすると、それらを準備しなければならない。
【課題を解決するための手段】
【０００４】  本考案は、しゃもじを炊飯器に立てかけて置いたり、テーブルの上にしゃもじの面を横向きにして置いたりできるように、しゃもじ自体の柄の端に安定板を取り付ける。その安定板はテーブルと線接触、あるいは２点接触するが、前者の場合はしゃもじの縁が炊飯器の側面と点接触し、後者の場合はテーブルの表面に点接触することになる。
【考案の効果】
【０００５】  上述のように、本考案のしゃもじは、ご飯をよそおった後、どこかに置くとき、しゃもじの面が他の物体に接触しないので、しゃもじを清潔に保つことができる。
【考案を実施するための最良の形態】
【０００６】  安定板は、本体と一体形成で、握ったとき指に触れたりして違和感が生じないように、柄の端に取り付けるのが最良である。
【実施例】
【０００７】  図１は本考案の平面図で、図２は側面図である。図３のように本考案を炊飯器に立てかけ、あるいは図４のようにテーブルに置いたとき、安定板１が、しゃもじが倒れない働きをする。
【図面の簡単な説明】
【０００８】
【図１】本考案の平面図。
【図２】その側面図。
【図３】本考案を炊飯器に立てかけたときの説明図。
【図４】本考案をテーブルに置いたときの説明図。
【符号の説明】
【０００９】  １  安定板
【図１】
0003134893.tif 000003
【図２】
0003134893.tif 000004
【図３】
0003134893.tif 000005
【図４】
0003134893.tif 000006
(57)【要約】      （修正有）【課題】顔面を覆うほどの１枚を立体マスクに施し、フィットアイマスクにもなる簡易休憩マスクを提供する。【解決手段】顔面を覆うほどの１枚の左右にめくりカバー付き粘着部２，３を設け、上部の鍔対応により立体マスクとなり、横半分下をカットして凸部対応によりフィットアイマスクに変わる仕組みを特徴とする簡易休憩マスク。【選択図】図１
0003134897.tif 000002
【実用新案登録請求の範囲】
【請求項１】
顔面を覆うほどの１枚の左右にめくりカバー付き粘着部を設け、上部の鍔対応により立体マスクとなり、横半分下をカットして凸部対応によりフイットアイマスクに変わる仕組みを特徴とする簡易休憩マスク。
【考案の詳細な説明】
【技術分野】
【０００１】  本考案は、顔面を覆うほどの１枚を立体マスクまた、フイットアイマスクにもなる仕組みに関するものである。
【背景技術】
【０００２】  従来、ハンカチ、アイマスク、又は帽子を顔に乗せての休憩時、また仮眠であった。
【考案の開示】
【考案が解決しようとする課題】
【０００３】そのために、次のような問題点があった。
仮眠中アイマスクでは口元が気になる。帽子ハンカチ等は椅子の場合ずり落ちるまた息がこもるなどの欠点があった。
本考案は、これらの問題点を解決するためになされたものである。
【課題を解決するための手段】
【０００４】顔を覆うほどの１枚の左右にめくりカバー付き粘着部を設け、上部の対応により鍔となり立体マスクとなる。横半分以下をカットして凸部対応によりフイットアイマスクに変わる仕組み。以上を特徴とする簡易休憩マスクである。
【考案の効果】
【０００５】手軽に立体顔面マスクまたフイットアイマスクとなる仕組みである。
【考案を実施するための最良の形態】
【０００６】以下、本考案の実施の形態について説明する。
（イ）マスク面（１）の左右にめくりカバー付き粘着部（２）（３）を設ける。
（ロ）中央縦に折谷線（４）を付けこれを中心に左右にも折谷線（５）（６）を付け最後に上下真半分にたたむ折り目は切り取り点線（７）にする。
本考案は、以上のような構成でこれを使用するときは、左右粘着部（２）（３）のめくりカバーをめくり、浮き掛け具合の好むと思われる頬部に貼る。
上部からの明かりが眩しく感じる時は、中央折り谷線（４）の上部を４センチ位指で切り裂き、手前に折り曲げ鍔対応（Ａ）を作る。
アイマスクにする場合は、横切り取り点線（７）から切り取り、中央折り谷線（４）の下から指で２，３センチ切り裂き両開き凸部対応（Ｂ）にする。
【実施例１】
【０００７】  材質として２枚プレス模様のペーパータオルのようなめりはりはあるが揉むと柔らかになることで使用後は、ちり紙として使いきれる。
仕事場の休憩時また、レジャーにも便利である。
【産業上の利用可能性】
【０００８】  色彩は、黒、紺、緑等の暗色系にして眩しさを防ぐものにする。
粘着部の粘着力は強、中、弱などがあるが、中、か弱にする。
八つ折りになることでポケッツトにも入るが、連続引き出し式の箱入りにすることで仕事場の休憩時に使用でき便利である。
【図面の簡単な説明】
【０００９】
【図１】本考案の浮き掛け内部仕様図
【図２】本考案のアイマスク内部仕様図
【符号の説明】
１  マスク面
２  左粘着部
３  右粘着部
４  中央縦折り谷線
５  左折谷線
６  右折谷線
７  横切り取り点線
（Ａ）鍔対応
（Ｂ）凸部対応
【図１】
0003134897.tif 000003
【図２】
0003134897.tif 000004
(57)【要約】【課題】器に輪ゴム付き穴空きビニール袋を一体的に設け、犬の糞の処理のしやすさ又、糞害等を防止する【解決手段】器７に輪ゴム付き穴空きビニール袋１に設けた穴６を取っ手２に付いている鉤３に穴６を通してビニール袋を止め、器７の縁４に輪ゴム付き穴空きビニール袋を廻し掛ける。セットされた器７を犬の肛門に添えるか下に置き糞を取る。糞を地面に落とす事なく処理できる。【選択図】図１
0003134869.tif 000002
【実用新案登録請求の範囲】
【請求項１】
円筒を輪切りしたものに、取っ手を設け、取っ手に鉤を付け、まるい折り返しの縁を設けた器に、輪ゴム付き穴空きビニール袋を一体的に設けた犬の糞を取る器
【考案の詳細な説明】
【技術分野】
【０００１】本考案は犬の散歩中に犬の糞を取る輪ゴム付き穴空きビニール袋付き器に関する。
【背景技術】
【０００２】従来の犬の散歩中、糞を取るのに直接、間接的に手を使って糞を取る器はあるがいずれも地面に落ちた糞を手で又は従来の器で、基本的に地面から拾う事になる。地面に落とす事なく糞を取る器はなかった。【０００３】地面に落ちた糞を手で直接、間接的に取る方策しかなかった。
【特許文献】
【特許文献】
【非特許文献】
【考案の開示】
【考案が解決しようとする課題】
【０００４】犬の散歩中に、犬の糞を取るのに、良くも悪くも、手に糞の感触があり、臭いも付いて来る。雨の日濡れた地面や雑草地の中から、糞を取るのは大変である。糞のくずれや又、雑草に付着した中から取るのは大変である。糞の放置も考えたくなる。【０００５】犬の体調の変化で、柔らかい糞などに対処する事が出来る。糞の放置をなくす事、住民の糞害の悩みも、本考案は解消する事が目的である。
【課題を解決するための手段】
【０００６】本考案は、円筒を輪切りにしたものに、取っ手を設け、取っ手に鉤を取り付け、まるく折り返しの付いた縁を設けた器に、輪ゴム付きビニール袋に穴を設け、器の取っ手に付いている鉤にビニール袋にあいている穴を鉤に通してビニール袋を止める。器の縁に輪ゴム付き穴空きビニール袋を廻し掛けてセット完了。器を犬の肛門に添えるか下に置き、犬の糞を取る。輪ゴム付き穴空きビニール袋を器の縁から外す。輪ゴムの伸縮作用で上部が閉じる。ビニール袋は鉤に寄せられ糞はビニール袋の中に納まる。ビニール袋をあらたにセット。
【考案の効果】
【０００７】上述の様に、犬の糞の硬さ柔らかさに関係なく、雨の日にも地面に落とす事なく、直接、間接的に、手を触れることなく糞を取る事ができる。糞の放置の原因に地面に落ちたものを拾うという作業が面倒になり、糞の放置が行われる。
本考案は、糞害をなくすと共に、糞を取る課程で作業のしやすさにある。
【考案の実施するための最良の形態】
【０００８】図１および図２において、円筒を輪切りにしたもの器７に取っ手２を設け、取っ手２に鉤３を取り付け、まるい折り返しの縁４を設けた器７に輪ゴム付き穴空きビニール袋をセットしたものである。犬の散歩中の糞を取る器本体で、
【０００９】輪ゴム付き穴空きビニール袋１を器７にセットしたもので、１ａ１ｂも一体のものである。１ａは器７に、ビニール袋をセットした時の上端部分、１ｂはビニール袋の底の部分である。又、輪ゴム付き穴空きビニール袋が器７から容易に外れることのない様に鉤３を設けたものである。
【００１０】輪ゴム付き穴空きビニール袋１を取っ手２に付けた鉤３にビニール袋に空けてある穴６を通して、輪ゴム付き穴空きビニール袋１を器７に止める。
次に輪ゴム付き穴空きビニール袋１の輪ゴム５を器７の縁４に廻し掛ける。
セット完了。
器７から輪ゴム付き穴空きビニール袋１は容易に外れる事はない。
【００１１】ビニール袋に空けてある穴６を鉤３に通すことにより輪ゴム付き穴空きビニール袋が器７から外れないかとの不安を解消する。又、ビニール袋についてる輪ゴム５も器７の縁４に廻し掛けるのが容易である。
【図面の簡単な説明】
【００１２】
【図１】本考案の実施形態を示す輪ゴム付き穴空きビニール袋付き犬の糞取り器の正面図
【図２】本考案の輪ゴム付き穴空きビニール袋付き犬の糞取り器の一部切欠断面図
【符号の説明】
【００１３】  １．  輪ゴム付き穴空きビニール袋
１ａ．  輪ゴム付き穴空きビニール袋上端部分
１ｂ．  輪ゴム付き穴空きビニール袋底の部分
２．  取っ手
３．  鉤
４．  縁
５．  輪ゴム
６．  ビニール袋に空けてるある穴
７．  器本体
【図１】
0003134869.tif 000003
【図２】
0003134869.tif 000004
(57)【要約】【課題】      本考案はヘッドライトとレーザー墨出し器を組み合わせることにより作業効率向上と、紛失盗難防止をする。【解決手段】  本考案は作業中に常時身体に固定して使用するヘッドライトに水平垂直を確認するレーザー墨出し機能を組み合わせる事により紛失盗難防止に役立つ。【選択図】図１
0003134868.tif 000002
【実用新案登録請求の範囲】
【請求項１】
ヘッドライトとレーザー墨出し器を組み合わせた，レーザー墨出し器付ヘッドライト
【考案の詳細な説明】
【技術分野】
【０００１】  本考案は、レーザー墨出し機能をつけた、ヘッドライトに関するものである。
【背景技術】
【０００２】  薄暗い建築現場等で、電気器具や建築資材を取り付ける場合、水平・垂直を確認する為のレーザー墨出し器と、図面を確認するためのヘッドライトを別々に使用していた。
【考案の開示】
【考案が解決しようとする課題】
【０００３】  複数の工具を使用しての作業は、置き忘れや紛失・盗難等の恐れがある。
作業中はヘルメット等に常時取り付けて使用することの多いヘッドライトにレーザー墨出し器の機能を一体化することにより前述の問題点を解決しようとするものである。
【課題を解決するための手段】
【０００４】  ヘッドライト本体にレーザー墨出し器を組み込み一体化し、スイッチ・ダイヤル等により各機能を切り替え又は同時に使用する。
【考案の効果】
【０００５】  上述の様に、本考案のレーザー墨出し機能付きヘッドライトを使用する事により盗難・紛失防止に役立つ。
【考案を実施するための最良の形態】
【０００６】  ヘッドライト本体にレーザー照射器を組み込み、傾斜センサー又はジンバル機構等でレーザー照射角度を制御し水平垂直を確認する墨出し器として使用する。
【実施例】
【０００７】  以下、添付図面に従って実施例を説明する。１は本体を身体につけるためのバンド。２はプラスチック等適宣素材にて形成されたヘッドライト本体。３はレーザー照射器。４はライト。５はスイッチで、バンド１をもちいてヘルメット等に本体２を取り付けスイッチ５によりライト４とレーザー照射器を切り替え使用する。
【図面の簡単な説明】
【０００８】
【図１】  本考案のレーザー墨出し機能つきヘッドライトの実施例を示す正面図
【符号の説明】
【０００９】  １  バンド
２  ヘッドライト本体
３  レーザー照射器
４  ライト
５  スイッチ
【図１】
0003134868.tif 000003
(57)【要約】      （修正有）【課題】ツボに、ダイオードを貼る治療法は、ダイオードの形状から、ツボの位置に正確に貼布し、生体に対して、垂直方向を維持し、鍼治療と併用する事は困難であった。【解決手段】ダイオードをらせん状に巻き、導通性のある金属板の中央に穴を開けて固定する。【選択図】図１
0003134863.tif 000002
【実用新案登録請求の範囲】
【請求項１】
体表のツボにダイオードを貼るダイオード療法において、最も効果のある、電子を垂直方向へ移動させる事は、従来の、皮膚に直接貼る方法では、困難であったが、ダイオードを、らせん状に巻き、導通性の高い金属円盤の中心に穴を開けた物と、ハンダで接合する事により、垂直方向性と、鍼との併用を可能にした、治療用具。
【考案の詳細な説明】
【技術分野】
【０００１】  本考案は、鍼治療、指圧等の施術において、痛み、凝りを緩和する目的で、ダイオードを使用する場合に関するものである。
【背景技術】
【０００２】  従来、ダイオードを直接ツボに貼る方法、又、鍼柄部にダイオードを固定する方法があった。
【考案の開示】
【考案が解決しようとする課題】
【０００３】  しかしながら、従来の技術では、鍼柄部に重さがかかり不安定で、又、鍼無しでは、最も効果のある垂直方向性を維持できない不便さがあった。
【課題を解決するための手段】
【０００４】  本考案は、ダイオードをらせん状に巻き、導通性のある中心に穴の開いた金属円盤と接合させる事で、上記課題を解決するものである。
【考案の効果】
【０００５】  請求項１の考案によれば、人体に対してダイオードの導通方向を垂直に維持し、ダイオード効果のみでも、皮膚に貼付して、最大の効果を発揮でき、中心部に鍼を刺入する事で、鍼治療との併用、相乗効果も期待できる。
【考案を実施するため最良の形態】
【０００６】  図面を参照して、本考案の形態を説明する。通常のダイオード１を、２上面、３側面の様な形に、らせん形に巻く。
４中心部に、穴の開いた金属板である．
５、矢印６の様に、ハンダにて、ダイオードと、円板を接合する．
７、鍼と併用した場合である．
【図面の簡単な説明】
【０００７】１．ダイオード
２．及び３  らせん形に巻いたダイオード
４．金属円盤
５．金属円盤に接合した物
６．ハンダによる接合部
７．鍼治療と併用
【図１】
0003134863.tif 000003
【手続補正書】
【提出日】平成19年6月14日(2007.6.14)
【手続補正１】
【補正対象書類名】明細書
【補正対象項目名】０００７
【補正方法】変更
【補正の内容】
【０００７】
【図１】は、本考案の組み立て（１〜５）及び使用例（７）の図である。
【符号の説明】
１．ダイオード
２．らせん形に巻いたダイオード
３．らせん形に巻いたダイオード
４．金属円盤
５．金属円盤に接合した物
６．ハンダによる接合部
７．鍼治療と併用
(57)【要約】      （修正有）【課題】歯間の清掃に用いる糸楊枝には、洗浄殺菌作用がほとんど無いため、虫歯予防または口臭予防には不十分であった。また、歯の表面や歯茎を傷つけ易く、歯痛や出血の原因となっていた。そこで、洗浄殺菌効果を有し、且つ歯の表面や歯茎を傷つけにくい糸楊枝を提供する。【解決手段】糸部分ａに歯磨きペーストまたは口腔消毒剤の高濃度水溶液を充分に浸透させ、乾燥させ固める。使用時は唾液の作用で、成分が徐々に溶け出し洗浄殺菌効果と潤滑効果を発揮する。【選択図】図１
0003134867.tif 000002
【実用新案登録請求の範囲】
【請求項１】
歯間に挿入する糸部分に、歯磨きペースト成分が含有されていることを特徴とする糸楊枝
【請求項２】
歯間に挿入する糸部分に、口腔消毒剤成分が含有されていることを特徴とする糸楊枝
【考案の詳細な説明】
【技術分野】
【０００１】  糸楊枝の糸部分の形態
【背景技術】
【０００２】  従来の糸楊枝は、図１の  ａ  の糸部分を歯間に挿入し、糸と歯の表面の摩擦及び糸の弾力性により、歯間の食物や歯垢を除去し清掃するものである。
【考案の開示】
【考案が解決しようとする課題】
【０００３】  しかし、以上の技術によれば、歯間の食物や歯垢を除去し清掃するのみで、洗浄殺菌効果は殆ど無く、虫歯予防及び口臭予防効果は不充分である。また、歯の表面や歯茎を傷つけ易く、歯痛や出血の原因となっている。
そこで、この考案は洗浄殺菌効果を有し、且つ歯の表面や歯茎を傷つけにくい糸楊枝を提供することを課題とする。
【課題を解決するための手段】
【０００４】  以上の課題を解決するために、第一考案は糸部分に歯磨きペースト成分が含有されていることを特徴とする糸楊枝である。
また、第二考案は糸部分に口腔消毒剤成分が含有されていることを特徴とする糸楊枝である。
【考案の効果】
【０００５】  第一考案によれば、糸部分に含有される歯磨きペースト成分により歯間の洗浄殺菌効果を有し、また潤滑作用により歯の表面や歯茎を傷つけにくい。
第二考案によれば、糸部分に口腔消毒剤成分を含有させることにより、第一考案に比し、潤滑作用は低下する反面、洗浄殺菌効果を更に高めるものである。
【考案を実施するための最良の形態】
【０００６】  この考案の一実施形態を、図１に示す。
糸楊枝取手部  ｂ  は一般的に用いられている形状のものである。
糸部分  ａ  は糸取り付け部  ｃ  に糸を数列平行に隙間無く取り付けられたもので、この数列の糸全体に歯磨きペーストまたは口腔消毒剤成分を含有させる。
【実施例】
【０００７】  図１で示す形態の糸楊枝の糸部分  ａ  全体に歯磨きペーストまたは口腔消毒剤の高濃度水溶液を充分に浸透させ、その後携帯に便利なように乾燥させ固めておく。使用時は、口腔内の唾液の作用により、成分が徐々に溶け出し効果を発揮する。【０００８】「実施形態の効果」
この実施形態によれば、通常の歯ブラシを用いた洗浄または通常の糸楊枝での清掃では困難な歯間の洗浄殺菌を充分に実施できる為、糸部分  ａ  に含有する歯磨きペーストまたは口腔消毒剤成分の効能による虫歯予防および口臭予防の効果を充分に発揮する。また、従来から有るワックス塗布タイプのデンタルフロスに比しても、更に潤滑効果が大きいため、歯の表面や歯茎を傷つけにくい。【０００９】「他の実施形態」
図１の実施形態では、取手付き糸楊枝を用いたものであったが、他の実施形態では歯間清掃を目的とした糸のみで、適当な長さに切断して使用するデンタルフロスを用いても良い。
【産業上の利用可能性】
【００１０】  糸部分  ａ  に歯磨きペーストまたは口腔消毒剤成分を含有させることに関して技術的障害はない。【００１１】  商品化に当たっては、限られた容積内に含有される歯磨きペーストまたは口腔消毒剤成分の効能を持続さる為、使用時における含有成分の溶解速度調整が必要であり、また、長期間未使用状態に置かれた場合を想定し、含有成分変質抑制の施策が必要である。これらの解決手段として、糸部分  ａ  に成分を含有させた後、更にワックスでコーティングする等の工夫を要すると思われる。【００１２】  マーケティングの観点からは、商品に付加価値及び多様性を持たせることにより、新規需要を喚起する経済効果が期待できる。
【図面の簡単な説明】
【００１３】
【図１】この考案の一実施形態を示す為に用いる糸楊枝の斜視図である。
【符号の説明】
【００１４】  ａ  糸部分
ｂ  取手部
ｃ  糸取り付け部
【図１】
0003134867.tif 000003
(57)【要約】      （修正有）【課題】胸部を隠しおしゃれに飾るという装飾性と汚れ防止の実用性、簡便さを兼ね備えたおんぶひも用スカーフクリップを提供する。【解決手段】スカーフをクリップで固定し、さらにそれを別のクリップでおんぶひもに着ける。【選択図】図１
0003134859.tif 000002
【実用新案登録請求の範囲】
【請求項１】
乳幼児をおんぶするおんぶひもにおいて、おんぶひもへスカーフの布を脱着可能としたことを特徴とした器具。
【考案の詳細な説明】
【技術分野】
【０００１】本考案は、乳幼児をおんぶするおんぶひもに関するものである。
【背景技術】
【０００２】従来、乳幼児を母親の背中に保持するためのおんぶひもが知られている。また、エプロン付きのおんぶひもが存在する。
【考案の開示】
【考案が解決しようとする課題】
【０００３】従来あるおんぶひもは、ひもを体の前面でばってんにたすきがけして装着するタイプが多く、母親の胸部がより強調されるという見かけ上の難点があった。また、炊事の際に体の前面部を覆うことができないため、飛沫で汚れるという問題もあった。それらを解消するためのエプロン付きのおんぶひもは、脱着の簡便さや外見のおしゃれとしての性質はあまり望めないものである。【０００４】本考案はそれらの問題点を克服し、胸部を隠しおしゃれに飾るという装飾性と汚れ防止の実用性、簡便さを兼ね備えた商品を提供するために考案されたものである。
【課題を解決するための手段】
【０００５】クリップ１ａには逆向きにてクリップ２ａが付属し、クリップ２ａには逆向きにてクリップ２ｂが付属しており、おのおのの間から一本もしくは複数本のチェーン部品５にてつなげられている。【０００６】使用方法はクリップ２ａおよび２ｂをまずスカーフの布４を山折に折ったそれぞれ左右の上端に装着する。チェーン部品の３はスカーフ布４のめくれ防止目的および装飾目的であるが、このときスカーフ４布の外に出しても良いし、内部にはさんで通しても良い。その上でクリップ１ａおよび１ｂをおんぶひも５のＡ１およびＡ２の場所に装着する。
【考案の効果】
【０００７】この結果、おんぶひもにて強調された胸部が隠れるだけでなく、胸元の装飾としての効果も得ることができる。さらに、炊事などの水はねの防止にも役立ち、実用面でも利便性を得られる。装着方法はいたって手軽なので、スカーフ部が汚れた際の交換も苦にもならず、つねに清潔な状態で使用できるため、赤ちゃんへの衛生面での影響も心配する必要がない。また幅広い材質・形状の布にて使用可能なので、服装や好みの素材など各人の趣向に応じたいろいろなパターンを楽しむことができる。いままでおんぶひもを装着時の見た目から躊躇してきた人や、育児中も手軽におしゃれを楽しみたい人も、より気軽に快適におんぶひもを使用することが出来るようになり、よりいっそうのおんぶひもの普及にも役立つ。
【考案を実施するための最良の形態】
【０００８】おんぶひものひも部分はクリップをはさめる厚さであること、さらにクリップをはさんでもすべりにくい材質とする。スカーフの布はドレープが少なめで使用したい場合は小さめのサイズで厚手もしくはしっかりとした布が適している。チェーン部分は内外どちらでもかまわない。ドレープを多くつくりたい場合はすこし大き目のサイズで薄手の生地が適しており、チェーン部分は内側にはさみこむとドレープが出やすく陰影もつきやすい。
【実施例】
【０００９】ドレープを少なくしたい場合の実施例は図４に、ドレープを多くつくりたい場合は図５にそれぞれ示している。
【図面の簡単な説明】
【図１】本考案の正面図
【図２】本考案にスカーフの布を取り付けた際の正面図
【図３】本考案を取り付けるおんぶひもの正面図
【図４】本考案を取り付けたおんぶひもを装着した際の正面図例１例目
【図５】本考案を取り付けたおんぶひもを装着した際の正面図例２例目
【符号の説明】
１ａ、１ｂ、２ａ、２ｂ・・・クリップ部
３・・・チェーン部
４・・・スカーフ布
５・・・おんぶひも
Ａ１、Ａ２・・・おんぶひもにおいて本考案を取り付ける場所
【図１】
0003134859.tif 000003
【図２】
0003134859.tif 000004
【図３】
0003134859.tif 000005
【図４】
0003134859.tif 000006
【図５】
0003134859.tif 000007
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
スカーフ３を、クリップ２ａおよび２ｂにて固定し、さらにクリップ１ａおよび１ｂを、おんぶひもの肩ひもＡ１およびＡ２部分にそれぞれ着けることにより、胸部を隠し装飾できることを特徴とした、スカーフクリップ。
(57)【要約】【課題】  鏝板の形態を簡素化し、鏝板本来の機能を維持しつつ、低コストでの製造を容易とする構造を提供する。【解決手段】塗材等を均すことが可能な略平板状の板部材と、該板部材を取り付ける把持柄を設けた鏝板において、前記把持柄の底部へ支持部を垂設し、該支持部の下方に前記板部材の上面に接着する平坦面と若干の厚みを有する柔軟性を有する取付部を形成する。【選択図】図１
0003134860.tif 000002
【実用新案登録請求の範囲】
【請求項１】
塗材等を均すことが可能な略平板状の板部材と、該板部材を取り付ける把持柄を設けた鏝板において、前記把持柄の底部へ支持部材を垂設し、該支持部材の下方に前記板部材の上面に接着する平坦面と若干の厚みを有する柔軟性を有する取付部材を形成したことを特徴とする鏝板。
【請求項２】
前記取付部の柔軟性部位が、前記板部材を被当接面に対して押し付けた際に湾曲する部位に形成されることを特徴とする請求項１に記載の鏝板。
【請求項３】
前記柔軟性部位が取付部材の上面へ形成した溝であることを特徴とする請求項１又は請求項２に記載の鏝板。
【考案の詳細な説明】
【考案の詳細な説明】
【産業上の利用分野】
【０００１】  本考案は、壁の下塗、上塗り等に使用する左官用具又は壁、天井、床、自動車等に塗装する塗装用具に関するものであり、詳細には、土、漆喰、モルタル等の壁面を滑らかに仕上げる際などに使用される鏝板に関するものである。
【従来技術】
【０００２】  従来より、この種の鏝板は、土、漆喰、モルタル等の壁面の表面を滑らかに仕上げたり、煉瓦、ブロック等の積目を接合する際に使用され、伝統的に様々な形態のものが製造されている。
【考案の解決すべき課題】
【０００３】  この内、金属製の板材と木製の把持柄を使用している鏝板は、重量感や安定感があって、左官業を行う熟練の作業者等が好んで使用していたが、専用の道具であるが故に、伝統的に熟練した職人の手作業により製造されていたのが現状であり、大量生産には向かないものであった。
【課題を解決するための手段】
【０００４】  本考案は、上記の事由に鑑みて、塗材等を均すことが可能な略平板状の板部材と、該板部材を取り付ける把持柄を設けた鏝板において、前記把持柄の底部へ支持部材を垂設し、該支持部材の下方に前記板部材の上面に接着する平坦面と若干の厚みを有する柔軟性を有する取付部材を形成したことを特徴とするものである。
【実施例】
【０００５】  斯る目的を達成した本考案を以下の実施例の図面により説明する。【０００６】  図１は本考案の実施例の鏝板の概要を示す外観図であり、図２は本考案の実施例の鏝板の概要を示す側面図であり、図３は本考案の実施例の鏝板の概要を示す平面図であり、図４は本考案の実施例の鏝板の概要を示す正面図であり、図５は本考案の実施例の鏝板の使用状態を示す説明図である。【０００７】  本考案の実施例に示される鏝板は、特に、柱や自動車のボディー等の金属製の構造物が存在する場所で使用されるものであり、詳細には、直線状の目地部分で好適に使用される鏝板であるが、塗材へ接触する部分である板部材の形状を変えることで、様々なタイプの鏝板として製造することが可能である。【０００８】  本考案は、図１乃至図５に図示の如く、塗材等を均すことが可能な略平板状の板部材１と、該板部材１を取り付ける把持柄２を設けた鏝板において、前記把持柄２の底部へ支持部材３を垂設し、該支持部材３の下方に前記板部材１の上面に接着する平坦面と若干の厚みを有する柔軟性を有する取付部材４を形成したことを特徴としている。【０００９】  即ち、本考案の実施例の鏝板は、主として、図１の概要図で明示されている通り、塗材等を均すことが可能な略平板状の板部材１と、把持柄２とで構成されており、本考案は、これら２部材の固定構造について特徴を持たせたものである。【００１０】  前記把持柄２は木製、金属製、合成樹脂製の材料で形成されるもので、実施例では、片手で把握し易いように円柱状に形成されていると共に、後述する取付部材４と一体に製造できるように合成樹脂製にて形成したものである。【００１１】  前記板部材１は、少なくとも底面部分を、塗材を押し付け均し作業ができるように平坦とした金属製の薄手の部材で形成している。この板部材１は、船型に形成されると共に、作業中の安全面や安定感のある使用性を考慮して、例えば、先端側の角部にアールを設けて形成している。【００１２】  本考案は、図２に図示の如く、前記の把持柄２の胴体の中央辺に鼓型の支持部材３を一体的に垂設し、更に、該支持部材３の下方に前記板部材１の上面に接着する平坦面と若干の厚みを有する柔軟性を有する取付部材４を形成している。【００１３】  前記取付部材４の柔軟性部位は、素材の柔軟性を利用しても良いが、少なくとも、前記板部材１を、図５に示す被当接面Ａに対して押し付けた際に湾曲する部位に形成するものである。【００１４】  より、具体的には、使用時の支持の安定性や製造の容易性を考慮すると、前記把持柄２、支持部材３、及び取付部４は、硬質の合成樹脂部材として一体成形されることが好ましく、このため、実施例の各図に図示の如く、前記柔軟性部位は、取付部材４の上部へ溝４ａを形成することで実現する。【００１５】  尚、前記取付部材４は、強力な接着剤（図示せず）により板部材１の上面に固定される。【００１６】  以上の如く構成された本考案の鏝板は、図５に記載の如く、壁面等の被当接面Ａに対して押し付けて使用されるものであり、この際、前記溝４ａで支持部材４が板部材１と共に湾曲することから、均し作業の際に、適宜な使用感をもって使用することができると共に、手のサイズ等に応じて製造された把持部材２と、形態に応じて製造された板部材１を用意しておくだけで、様々な組み合わせで簡単に組立てて製造することが可能になるだけでなく、製造コストを効果的に削減することが可能になるものである。
【考案の効果】
【００１７】  本考案の鏝板によれば、塗材等を均すことが可能な略平板状の板部材と、該板部材を取り付ける把持柄を設けた鏝板において、前記把持柄の底部へ支持部材を垂設し、該支持部材の下方に前記板部材の上面に接着する平坦面と若干の厚みを有する柔軟性を有する取付部材を形成しているので、様々な組み合わせで簡単に組立てて製造することが可能になるだけでなく、製造コストを効果的に削減することが可能になるものである。
【図面の簡単な説明】
【００１８】
【図１】本考案の実施例の鏝板の概要を示す外観図である。
【図２】本考案の実施例の鏝板の概要を示す側面図である。
【図３】本考案の実施例の鏝板の概要を示す平面図である。
【図４】本考案の実施例の鏝板の概要を示す正面図である。
【図５】本考案の実施例の鏝板の使用状態を示す説明図である。
【符号の説明】
【００１９】１  板部材
２  把持柄
３  支持部材
４  取付部材
４ａ  溝
【図１】
0003134860.tif 000003
【図２】
0003134860.tif 000004
【図３】
0003134860.tif 000005
【図４】
0003134860.tif 000006
【図５】
0003134860.tif 000007